(57)【要約】      （修正有）【課題】金属管内部に長尺物を挿通し、更に金属管の一端部を耐熱材で密封するだけで十分な防火効果を有する防火区画体における防火装置構造物を提供する。【解決手段】本考案の防火措置構造物は、床や壁等の防火区画体に開設された貫通孔に設置した金属管３内に挿通したケーブル４やパイプ等の長尺物の防火措置構造物において、金属管の一端部に支持金物５を挟持し、該支持金物の先端部から充填材を充填して開口部を封入することを特徴とするもので、耐１時間の防災特性を有するものである。【選択図】図１
0003110413.tif 000002
【実用新案登録請求の範囲】
【請求項１】
床や壁等の防火区画体に開設された貫通孔に設置した金属管内に挿通したケーブルやパイプ等の長尺物の防火措置構造物において、金属管の一端部に支持金物を挟持し、該支持金物の先端部から充填材を充填して開口部を封入することを特徴とする防火区画体における防火措置構造物。
【請求項２】
前記支持金物は、一端部が逆Ｕ字状の折曲げ部を有して金属管を挟持し、他端部が内側にＬ字状の曲げ部を有して耐火物を係止する構造であることを特徴とする請求項１記載の防火区画体における防火措置構造物。
【請求項３】
前記耐火物は、ロックウール板、耐熱シート材、耐熱シール材、ロックウール材及びこれらの混合物の１種以上であることを特徴とする請求項１記載の防火区画体における防火措置構造物。
【考案の詳細な説明】
【技術分野】
【０００１】
本考案は、防火区画体における防火措置構造物に関し、更に詳しくは、金属管内部の長尺物を１時間以上の耐火時間で保護可能な防火措置構造物を提供するものである。
【背景技術】
【０００２】
従来の防火区画体における防火措置構造物としては、床や壁等の防火区画体において長尺物を貫通させた場合には、図６に示すように、二分割に嵌合固定される鋼製端末金具を用いて金属管の両端面を封入して防火措置を施していた。
【０００３】
この鋼製端末金具を用いる防火措置構造の場合、長尺物を貫通させた鋼製電線間である金属管の両端部においてケーブル外面にそれぞれ耐熱シール材を充填し、この充填部を覆うように鋼製端末金具を取り付けて金属管の開口部を封入する構造であり、この構造物は、二時間の耐火性能を有するものとして知られているが、端末金具や耐熱シール材を両面に取付けなければならないために施工が面倒であり、コストが高くつくと云う欠点があった。
【０００４】
特許第２５８３３８８号「防火区画体における長尺物貫通部の防火措置構造」は、周方向に分割可能な筒部を両端に有し、且つ、これら筒部間が軸方向に間隔をおいて連結部で連結されると共に連結部間に樋口が形成されてなる固定具を、樋口が貫通孔内に位置するように前記長尺物の外周に被せて筒部で囲み、同筒部と長尺物との間に熱発泡性耐焔材を配置し、前記貫通孔から樋口内まで耐火材を埋め戻して貫通孔を耐火材で閉じると共に樋口の部分で長尺物と貫通孔との隙間を閉塞した防火措置構造を開示する。
【０００５】
また特許第３２０７３４０号「可燃性長尺体貫通部の防火構造体」は、防火壁の際の可燃性長尺体の外周に、巻き付け前は厚肉のテープ状であるが巻き付け後は層間が粘着してパテ状の塊となる耐熱シール材を防火壁の孔の直径より大きくなるように巻き付け、その耐熱シール材の外周に、基端側が防火壁の孔より大きく先端側ほど直径又は内接円の直径が小さくなるテーパー状の押え具を取り付け、耐熱シール材の外周部を防火壁に押しつけた防火構造体を開示している。
【特許文献１】特許第２５８３３８８号
【特許文献２】特許第３２０７３４０号
【考案の開示】
【考案が解決しようとする課題】
【０００６】
上記従来の防火区画体における長尺物貫通部の防火措置構造は、何れも壁の両側からの施工を必要とするため、施工内容に関わらず施工時間が多くとられるという構造上の課題があった。
【０００７】
また長尺物を固定具で囲む場合は、固定具自体のコストがかかり更に貫通部との間の隙間を耐火材で充填しなければならなく、材料費が高くつくという欠点を有していた。
【課題を解決するための手段】
【０００８】
本考案者は斯かる課題を解決するために鋭意研究したところ、金属管内部に長尺物を挿通し、更に金属管の一端部を耐熱材で密封するだけで十分な防火効果を有する防火区画体における防火措置構造物を提供することができた。
【０００９】
すなわち本考案の第一は、床や壁等の防火区画体に開設された貫通孔に設置した金属管内に挿通したケーブルやパイプ等の長尺物の防火措置構造物において、金属管の一端部に支持金物を挟持し、該支持金物の先端部から充填材を充填して開口部を封入することを特徴とする防火区画体における防火措置構造物である。
【００１０】
本考案の第二は、前記支持金物は、一端部が逆Ｕ字状の折曲げ部を有して金属管を挟持し、他端部が内側にＬ字状の曲げ部を有して耐火物を係止する構造であることを特徴とする請求項１記載の防火区画体における防火措置構造物である。
【００１１】
本考案の第三は、前記耐火物は、ロックウール板、耐熱シート材、耐熱シール材、ロックウール材及びこれらの混合物の１種以上であることを特徴とする請求項１記載の防火区画体における防火措置構造物である。
【考案の効果】
【００１２】
本考案の防火区画体における防火措置構造物は、壁材の一方の側からの施工で良いために施工時間が短時間で済み、施工コストが安くなるという大きな経済効果を有するものである。
【００１３】
また本考案は、金属管の一端側に支持金物を挟持し、該支持金物の先端部に長尺物を囲みながらロックウール板、ロックウール材、耐熱シール材、耐熱シート材及びこれらの混合物おいずれか１種以上を充填して開口部を封入する簡易な防火措置構造物であるが、これらの耐火充填材がパイプ等の長尺物外周と金属管内部とを密封するために、１時間以上の耐火性能を十分に有するものである。
【考案を実施するための最良の形態】
【００１４】
以下、図面を参照して本考案の詳細を述べるが、本考案の範囲はこれらに限定されるものではない。
【実施例１】
【００１５】
図１は、本考案の防火区画体における防火措置構造物を示す断面図である。壁材１からなる防火区画体の貫通孔２には、貫通孔２と略同径の金属管３が挿通されており、さらに該金属管３の内部をケーブル４等の可燃性長尺体が挿通されている。
【００１６】
この場合、貫通孔２と金属管３との隙間は耐熱シール材の様なパテ材で封入するが、壁材１に金属孔２を挿通させる場合には、金属管とほぼ同一径の貫通孔を打ち抜くことが好ましい。
【００１７】
この金属管の端部には、図４ａに示す支持金物５を挟持して、逆Ｌ字状に曲がった先端部が金属管の中心部に向いて位置するようにしている。この場合、図４ａに示す支持金物５は、図４ｂに示すように１本の細線を折曲げながら中心部に逆Ｌ字状に曲げたＵ字部１２を設け、相対峙する形状の支持材としている。
【００１８】
本実施例においては、前記金属管３に挿通されたケーブル４の周囲を耐火材で封入するために、先ず支持金物４を２本用いて金属管３の端部の上下左右に挟持した。次いで、金属管の内径に合わせて切り取り、中心部に切り込み線を入れた厚み２５ｍｍのロックウール板を金属管の端部より内部に向けて押出し、支持金物４の逆Ｌ字状のＵ字部に接触固定させた。
【００１９】
次いで、ロックウール材を用いて同様に端部より押し込んで、約３０〜１００ｍｍの厚みとなるように調整しながら金属管内径とケーブル４表面との間の隙間を充填した。
【００２０】
さらに金属管の端部側に約２０ｍｍくらいの厚みになるように耐熱シール材を充填し、金属管端部を封入して、耐１時間対応の防火措置構造物を得ることができた。
【実施例２】
【００２１】
実施例１において用いた図４ａに示す支持金物４を４本、同様に金属管３の端部に挟持した。市販の耐熱シール材に大量のロックウールチップを混入させた耐火物を、支持金物４の逆Ｌ字状のＵ字部１２に接触させながら金属管３端部まで約１２０ｍｍ充填し、端部を封入して、耐１時間対応の防火措置構造物を得ることができた。
【実施例３】
【００２２】
実施例１で用いた支持金物５に代えて、図５に示すように２本の細線を撚り合わせた支持金物９の折曲げ部を２本金属管端部に挟持させた。次いで、耐火物として市販の耐熱シート材１１を適宜サイズに切り裂いたものを金属管３端部から押し込み、前記支持金物９のＬ字状の折曲げ部１３に接触固定させながら、約１００ｍｍ押し込み、金属管３端部に耐熱シール材８を充填して封入し、耐１時間対応の防火措置構造物を得ることができた。
【図面の簡単な説明】
【００２３】
【図１】本考案の実施例１の防火区画体における防火措置構造物を示す断面図である。
【図２】本考案の実施例１の防火区画体における防火措置構造物を示す断面図である。
【図３】本考案の実施例１の防火区画体における防火措置構造物を示す断面図である。
【図４ａ】本考案の支持金物を示す斜視図である。
【図４ｂ】図４ａの正面図である。
【図５ａ】本考案の支持金物を示す斜視図である。
【図５ｂ】図５ａの正面図である。
【図６】従来の防火措置構造物を示す断面図である。
【符号の説明】
【００２４】
１・・・壁材
２・・・貫通孔
３・・・金属管
４・・・ケーブル
５・・・支持金物
６・・・ロックウール板
７・・・ロックウール材
８・・・耐熱シール材
９・・・耐熱シル・ロックウール混合材
１０・・支持金物
１１・・耐熱シート材
１２・・Ｕ字部
１３・・折曲げ部
１４・・撚り部
１５・・プッシング
１６・・端末金具
【図１】
0003110413.tif 000003
【図２】
0003110413.tif 000004
【図３】
0003110413.tif 000005
【図４ａ】
0003110413.tif 000006
【図４ｂ】
0003110413.tif 000007
【図５ａ】
0003110413.tif 000008
【図５ｂ】
0003110413.tif 000009
【図６】
0003110413.tif 000010